(57)【特許請求の範囲】
【請求項１】
サイト名でアクセスされ、区間の暗号化された映像データを連続してなる映像データ列と、前記映像データの再生順に映像データを特定し、各映像データを復号するための暗号化されたデータ鍵が記載された再生映像情報と映像の視聴料金を記載した複数の再生映像構成表とからなる混合ファイルを記憶し、要求に応じて混合ファイルをインターネットを介して送信する映像ファイル提供装置とインターネットで接続される映像視聴装置であって、
前記映像ファイル提供装置に一の混合ファイルを要求する混合ファイル要求手段と、
要求先の映像ファイル提供装置から混合ファイルをインターネットを介して受信する混合ファイル受信手段と、
受信された混合ファイルを解釈して一の再生映像構成表を作成する再生映像構成表作成手段と、
受信された混合ファイルを解釈し、前記再生映像構成表に記載された再生順に、暗号化された映像データを読み出す映像データ読出手段と、
前記再生映像構成表の通知を受け、映像データの視聴料金を課金した後、暗号化されたデータ鍵を復号するための解読鍵を付与する課金手段と、
前記解読鍵を付与され、暗号化されたデータ鍵を復号し、前記映像データ読出手段で読み出された暗号化された映像データを復号されたデータ鍵で復号する映像データ復号手段と、
復号された映像データを再生出力する再生手段と
を備えることを特徴とする映像視聴装置。
【請求項２】
前記再生映像構成表には、前記混合ファイルの制作に用いられたオーサリンツールのメーカを識別する識別子と、前記視聴料金のうち、オーサリングツールのメーカに還付する金額または前記金額を算出し得る数式が記載されており、
前記課金手段は、前記視聴料金から、前記還付金額を計算し識別子とともに記憶するキックバック額計算部を有し、
キックバック額は識別子で識別されるオーサリングツールのメーカに支払われ、少なくとも混合ファイルの制作者を含む者には、残余の視聴料金が支払われる
ことを特徴とする請求項１記載の映像視聴装置。
【請求項３】
前記再生映像構成表には、前記混合ファイルの制作に用いられたオーサリングツールのメーカを識別する識別子と、前記視聴料金のうち、オーサリングツールのメーカに還付される還付率とが記載されており、
前記課金手段は、前記視聴料金に還付率を乗算し、キックバック額を計算し、識別子とともに記憶するキックバック額計算部を有し、
キックバック額は、識別子で識別されるオーサリングツールのメーカに支払われ、混合ファイルの制作者には、残余の視聴料金が支払われる
ことを特徴とする請求項１記載の映像視聴装置。
【発明の詳細な説明】
【０００１】
【発明の属する技術分野】
本発明は、インターネット放送システムに関する。
【０００２】
【従来の技術】
図２２は、インターネットを介して映像データを取得して再生する従来のインターネット放送システムの構成図を示す。
インターネット放送システムは、Ｗｅｂサイトで構成される映像ファイル提供装置１０１と、映像視聴装置１０２とを備え、映像ファイル提供装置１０１と映像視聴装置１０２とがインターネット１０３を介して接続されている。
【０００３】
この映像ファイル提供装置１０１は、複数の映像ファイル１０４を記憶している映像ファイル記憶部１０５と、映像ファイル記憶部１０５から映像データを読み出す映像データ読出部１０６と、読み出された映像データをインターネット１０３を介して映像視聴装置１０２に送信する映像データ送信部１０７と、映像データの転送命令を受信して映像データ読出部１０６に転送命令を通知する映像転送命令受信部１０８とを備えている。
【０００４】
映像視聴装置１０２は、所望の映像データの転送命令を作成する映像転送命令作成部１０９と、インターネット１０３を介して映像ファイル提供装置１０１に映像データの転送命令を送信する映像転送命令送信部１１０と、映像ファイル提供装置１０１から送信される映像データを受信する映像データ受信部１１１と、映像データを再生出力する映像データ再生部１１２とを備えている。
【０００５】
視聴者が映像を視聴する手順を、この構成図を参照して説明する。
先ず、視聴者は、映像名の表示されたメニュー画面などを見て、どの映像を視聴したいかを決めると、映像名を選択する。映像転送命令作成部１０９は、選択された映像名の映像ファイルが記憶された映像ファイル記憶部１０５を有する映像ファイル提供装置１０１宛の当該映像データの転送命令を作成する。
【０００６】
映像転送命令送信部１１０は、作成された転送命令をインターネットを介してファイル提供装置１０１に送信する。
映像転送命令受信部１０８は、転送命令を受信すると、映像データ読出部１０６に転送命令を通知する。転送命令には、映像名であるファイル名と、映像転送命令を送信してきた映像視聴装置１０２のアドレスとが含まれている。
【０００７】
映像データ読出部１０６は、映像ファイル記憶部１０５から通知された転送命令に従い、ファイル名で示される映像ファイル１０４から映像データを読み出す。読み出した映像データと映像視聴装置１０２のアドレスとを映像データ送信部１０７に通知する。
映像データ送信部１０７は、インターネット１０３を介して、映像視聴装置１０２のアドレス宛に通知された映像データを送信する。
【０００８】
映像視聴装置１０２の映像データ受信部１１１は、映像ファイル提供装置１０１から送信されてくる映像データを受信し、映像データ再生部１１２に通知する。
映像データ再生部１１２は、通知された映像データを再生出力する。
このようにして、視聴者は、映像ファイル提供装置１０１に記憶されている選択した映像名の映像ファイル全体を映像として視聴することができる。
【０００９】
従来例において、映像ファイル１０４が２つの小区間の映像データ「映像１」と「映像２」とを継時的に接続したものであったとする。この場合、視聴者は映像データ再生部１１２において「映像１」から「映像２」に移り変わる映像を視聴する。
もし、視聴者が「映像２」から「映像１」に移り変わるような逆の展開の映像を視聴したいと思うと、映像データ再生部１１２で再生出力した映像を一旦録画して、視聴者が自分の手元で「映像１」と「映像２」との小区間の映像を切り出してから編集し直すか、映像ファイル記憶部１０５に小区間の映像データ「映像２」と「映像１」とを継時的に接続した別の映像ファイルを用意しなければならない。
【００１０】
【発明が解決しようとする課題】
ところが、視聴者が映像を編集し直すためには、編集機を要したり、時間がかかったりして現実的ではない。また、映像ファイル提供装置１０１に別の映像ファイルを用意するのは、１つでも大容量のメモリを要する映像ファイルをいくつも用意することになり、映像ファイル記憶部１０５に膨大な容量の映像ファイルを用意する必要が生じ、現実的ではない。
【００１１】
本発明は上記課題に鑑み、視聴者が手元で再編集したり、映像ファイル提供装置に小区間の映像データの並び替えをしただけの膨大な映像ファイルを用意することなく、視聴者の要望に応じた様々な再生順序の映像を視聴することのできる映像ファイル提供装置、映像視聴装置及びこれらからなるインターネット放送システムを提供することを第１の目的とする。
【００１２】
本発明の第２の目的は、映像視聴装置により映像を再生した者から映像ファイルの制作者が視聴料金を徴収できるようにすることである。
更に、本発明の第３の目的は、映像ファイルの制作者が使用したオーサリングツールのメーカに視聴料金の一部を還付することである。
【００１３】
【課題を解決するための手段】
上記課題を解決するため、本発明は、サイト名でアクセスされる映像ファイル提供装置と複数の映像視聴装置とがインターネットで接続されるインターネット放送システムであって、前記映像ファイル提供装置は、区間の映像データを連続してなる映像ファイルを記憶している映像ファイル記憶手段と、各映像視聴装置から映像ファイルと、そのファイル中の所望区間の映像データを特定する要求を受け付ける受付手段と、要求内容を解釈し、特定区間のフレーム単位の映像データを前記映像ファイル記憶手段から読み出す読出手段と、読み出された映像データを要求元の映像視聴装置にインターネットを介して送信する送信手段とを備え、前記映像視聴装置は、前記映像データの再生順に映像データを特定する再生映像情報を記載した複数の再生映像構成表を記憶している再生映像構成表記憶手段と、前記再生映像構成表記憶手段に記憶されている複数の再生映像構成表のうち、一の再生映像構成表の指定を受け付ける再生映像構成表指定受付手段と、指定された再生映像構成表を読み出す再生映像構成表読出手段と、読み出された再生映像構成表に記載された再生映像情報に従い、前記映像ファイル提供装置の受付手段に映像データを再生順にインターネットを介して要求する要求手段と、要求先の映像ファイル提供装置の送信手段からインターネットを介して送信されてくる映像データを受信する受信手段と、受信された映像データを再生順に再生出力する映像データ再生手段とを備えることとしている。
【００１４】
また、本発明は、サイト名でアクセスされ、区間の暗号化された映像データを連続してなる映像データ列と、前記映像データの再生順に映像データを特定し、各映像データを復号するための暗号化されたデータ鍵が記載された再生映像情報と映像の視聴料金を記載した複数の再生映像構成表とからなる混合ファイルを記憶し、要求に応じて混合ファイルをインターネットを介して送信する映像ファイル提供装置とインターネットで接続される映像視聴装置であって、前記映像ファイル提供装置に一の混合ファイルを要求する混合ファイル要求手段と、要求先の映像ファイル提供装置から混合ファイルをインターネットを介して受信する混合ファイル受信手段と、受信された混合ファイルを解釈して一の再生映像構成表を作成する再生映像構成表作成手段と、受信された混合ファイルを解釈し、前記再生映像構成表に記載された再生順に、暗号化された映像データを読み出す映像データ読出手段と、前記再生映像構成表の通知を受け、映像データの視聴料金を課金した後、暗号化されたデータ鍵を復号するための解読鍵を付与する課金手段と、前記解読鍵を付与され、暗号化されたデータ鍵を復号し、前記映像データ読出手段で読み出された暗号化された映像データを復号されたデータ鍵で復号する映像データ復号手段と、復号された映像データを再生出力する再生手段とを備えることしている。
【００１５】
更に、本発明は、前記再生映像構成表には、前記混合ファイルの制作に用いられたオーサリングツールのメーカを識別する識別子と、前記視聴料金のうち、オーサリングツールのメーカに還付される還付率とが記載されており、前記課金手段は、前記視聴料金に還付率を乗算し、キックバック額を計算し、識別子とともに記憶するキックバック額計算部を有し、キックバック額は、識別子で識別されるオーサリングツールのメーカに支払われ、混合ファイルの制作者には、残余の視聴料金が支払われることとしている。
【００１６】
【発明の実施の形態】
以下、本発明に係るインターネット放送システムの実施の形態を図面を参照して説明する。
（実施の形態１）
図１は、本発明に係るインターネット放送システムの実施の形態１の構成図である。このインターネット放送システムは、映像ファイル提供装置２０１と複数の映像視聴装置２０２とを備え、映像ファイル提供装置２０１と各映像視聴装置２０２とがインターネット２０３を介して接続されている。
【００１７】
なお、映像ファイル提供装置２０１は、URLなどで表されるＷｅｂサイト名で識別されている。
映像ファイル提供装置２０１は、複数の映像ファイル２０４を記憶している映像ファイル記憶部２０５と、映像視聴装置２０２から映像データの転送命令を受信する映像転送命令受信部２０６と、受信した転送命令に従い映像ファイルの特定された映像データを読み出す映像データ読出部２０７と、読み出された映像データをインターネット２０３を介して映像視聴装置２０２に送信する映像データ送信部２０８とを備えている。
【００１８】
映像ファイル２０４は、小区間の映像データが接続されて構成されている。なお、映像ファイル２０４の読み出しは、フレーム単位でフレームを特定した小区間の映像データとして読み出される。
映像ファイル記憶部２０５は、複数の映像ファイル２０４をフレーム単位で管理し、記憶している。
【００１９】
映像転送命令受信部２０６は、映像視聴装置２０２からインターネット２０３を介して転送命令を受信すると、映像データ読み出し部２０７に転送命令を通知する。
転送命令には、転送命令の送信元の映像視聴装置２０２を識別するＩＰアドレスと、映像データを特定する映像ファイル名と、その映像ファイルの読み出し開始フレーム番号と、読み出しフレーム数とが含まれている。
【００２０】
映像データ読出部２０７は、通知された転送命令に従い、映像ファイル記憶部２０５に記憶されている映像ファイル２０４のうち、特定された映像ファイル名の映像データを、読み出し開始フレーム番号から読み出しフレーム数だけ読み出し、ＩＰアドレスとともに映像データ送信部２０８に通知する。
映像データ送信部２０８は、映像データ読出部２０７から通知された映像データをインターネット２０３を介してＩＰアドレスで識別される転送命令の送信元の映像視聴装置２０２に送信する。
【００２１】
映像視聴装置２０２は、複数の再生映像構成表ファイル２０９を記憶している再生映像構成表ファイル記憶部２１０と、再生映像構成表ファイル指定部２１１と、再生映像構成表ファイル読出部２１２と、再生映像情報処理部２１３と、映像データ再生部２１４とを備えている。再生映像情報処理部２１３は、映像転送命令作成部２１５と映像転送命令送信部２１６と映像データ受信部２１７とを有する。
【００２２】
図２は、再生映像構成表ファイルの一例を示す図である。再生映像構成表３０１には、再生映像構成表３０１のファイル名３０２と、各行に、再生順序３０３に従って再生される小区間の映像データの再生映像情報とが記載されている。
各再生映像情報には、サイト名３０４と、ファイル名３０５と、読み出し開始フレーム番号３０６と、読み出しフレーム数３０７とが記載されている。
【００２３】
サイト名３０４は、小区間の映像データの属する映像ファイルが記憶されている映像ファイル提供装置２０１のサイト名を示している。
ファイル名３０５は、映像データの属する映像ファイルのファイル名である。
読み出し開始フレーム番号３０６と読み出しフレーム数３０７とは、映像データの範囲を示している。映像データは、映像データの属する映像ファイルの読み出し開始フレーム番号３０６を先頭フレームとして読み出しフレーム数３０７だけ連続したものである。
【００２４】
なお、映像データの範囲をここでは、映像ファイルの最初のフレーム番号を「０」として、読み出し開始フレーム番号３０６と読み出しフレーム数３０７とで示しているけれども、通常の再生時間と同じ表記方法であるいわゆるタイムコードにより再生開始時間と再生継続時間とで示すようにしてもよい。
再生映像構成表３０１では、映像「××××のクローズアップ映像」は、映像ファイル５のフレーム番号「１８００」から「３００」フレームの映像データと、映像ファイル６のフレーム番号「６００」から「９００」フレームの映像データとを再生することで得られることを示している。
【００２５】
再生映像構成表ファイル記憶部２１０は、このような複数の再生映像構成表をファイルとして記憶している。
再生映像構成表ファイル指定部２１１は、表示デバイス（図示せず）に再生映像構成表のファイル名をメニュー項目として表示させ、視聴者から所望のファイル名の指定を受け付ける。なお、ファイル名の指定は、再生映像構成表のファイル名をメニュー項目とするメニューの表示をすることなく、予め、再生映像構成表のファイル名の印刷物を配布しておき、そのファイル名を例えば番号で指定するようなものであってもよいのは勿論である。
【００２６】
再生映像構成表ファイル指定部２１１は、指定されたファイル名を再生映像構成表ファイル読出部２１２に通知する。
再生映像構成表ファイル読出部２１２は、通知されたファイル名の再生映像構成表を再生映像構成表ファイル記憶部２１０から読み出し、再生映像情報処理部２１３の映像転送命令作成部２１５に通知する。
【００２７】
映像転送命令作成部２１５は、再生映像構成表ファイル読出部２１２から通知された再生映像構成表３０１に従い、映像データの転送命令を作成する。転送命令には、自身の映像視聴装置２０２を識別するＩＰアドレスを含め、再生映像構成表３０１の再生順序３０３の順に転送命令を作成する。転送命令は、映像ファイル名３０５で示される映像ファイルを記憶している映像ファイル提供装置２０１のサイト名を宛先として作成され、映像ファイル名３０５と読み出し開始フレーム番号３０６と読み出しフレーム数３０７とで小区間の映像データを特定している。
【００２８】
映像転送命令作成部２１５は、再生順序３０３の順に転送命令を作成すると、映像転送命令送信部２１６に通知する。
映像転送命令送信部２１６は、映像転送命令作成部２１５から通知された転送命令作成部２１５から通知された転送命令を映像ファイル提供装置２０１のサイト名を宛先としてインターネット２０３を介して送信する。
【００２９】
映像データ受信部２１７は、転送命令を送信したサイト名の映像ファイル提供装置２０１から送信されてくる映像データを受信し、映像データ再生部２１４に通知する。
映像データ再生部２１４は、映像データ受信部２１７から通知された映像データを再生出力する。
【００３０】
例えば、図２に示した再生映像構成表３０１の再生順序「１」の映像ファイル５には風景の全景映像が、再生順序「２」の映像ファイル６にはその風景の一部をクローズアップしたクローズアップ映像がそれぞれ記録されていたとする。この再生映像構成表３０１に従い、映像データ再生部２１４から全景映像からクローズアップ映像へ寄っていくように構成された映像が再生出力される。
【００３１】
また、視聴者が視聴したい映像がクローズアップ映像から全景映像に引いていく映像であった場合には、映像ファイル提供装置２０１の各サイトで記憶されている映像ファイル名を変えることなく、再生映像構成表３０１の再生順序が逆に記載された再生映像構成表のファイル名を視聴者が指定するようにすればよい。
次に、本実施の形態の動作を図３、図４に示すフローチャートを用いて説明する。
【００３２】
図３は、映像視聴装置２０２での動作を示すフローチャートである。
先ず、再生映像構成表ファイル指定部２１１は、視聴者から再生映像構成表のファイル名の指定を受けるのを待ち、再生映像構成表ファイル読出部２１２にファイル名を通知する（Ｓ４０２）。
再生映像構成表ファイル読出部２１２は、再生映像構成表を読み出し、映像転送命令作成部２１５に通知する（Ｓ４０４）。
【００３３】
映像転送命令作成部２１５は、再生映像構成表の再生順序の上位のものの映像データが記憶されているサイト名の映像ファイル提供装置宛に映像データの転送命令を作成する（Ｓ４０６）。
映像転送命令送信部２１６は、映像データの転送命令をサイト名で識別される映像ファイル提供装置２０１に送信する（Ｓ４０８）。
【００３４】
映像データ受信部２１７は、映像ファイル提供装置２０１から映像データを受信するのを待ち、受信した映像データを映像データ再生部２１４に通知する（Ｓ４１０）。
映像データ再生部２１４は、通知された映像データを再生して出力する（Ｓ４１２）。
【００３５】
映像転送命令作成部２１５は、再生映像構成表に映像データの転送命令を作成していない未処理のものがあるか否かを判定し（Ｓ４１４）、あればＳ４０８に戻り、なければ処理を終了する。
図４は、映像ファイル提供装置２０１での動作を説明するフローチャートである。
【００３６】
映像転送命令受信部２０６は、映像データの転送命令の受信を待ち（Ｓ５０２）、映像データ読出部２０７に転送命令を通知する（Ｓ５０４）。
映像データ読出部２０７は、映像ファイル記憶部２０５から転送命令を通知されると、転送命令に従い、映像ファイル記憶部２０５に記憶されている小区間の映像データを読み出し、映像データ送信部２０８に通知する（Ｓ５０６）。
【００３７】
映像データ送信部２０８は、転送命令を送信してきた要求元の映像視聴装置２０２に通知された映像データをインターネット２０３を介して送信し（Ｓ５０８）、Ｓ５０２に戻る。
（実施の形態２）
図５は、本発明にかかるインターネット放送システムの実施の形態２の構成図である。なお、上記実施の形態１と同様の構成部分には、同一の符号を付し、本実施の形態固有の構成についてのみ説明する。
【００３８】
このインターネット放送システムは、映像ファイル提供装置２０１と複数の映像視聴装置６０１とがインターネット２０３で接続されて構成されている。
映像視聴装置６０１は、複数の再生映像構成表ファイル６０２を記憶している再生映像構成表ファイル記憶部６０３と、再生映像構成表ファイル指定部２１１と、再生映像構成表ファイル読出部２１２と、再生映像情報処理部６０４と、ローカル映像ファイル記憶部６０５と、ローカル映像データ読出部６０６と、映像データ再生部６０７とを備えている。再生映像情報処理部６０４は、映像データ内外判定部６０８と、映像転送命令作成部２１５と、映像転送命令送信部２１６と、映像データ受信部６０９とを有している。ローカル映像ファイル記憶部６０５は、映像ファイル６１０と蓄積映像データ６１１とを記憶している。
【００３９】
図６は、再生映像構成表ファイル記憶部６０３に記憶されている再生映像構成表の一例を示す図である。再生映像構成表７０１には、再生映像構成表のファイル名７０２が記載され、再生順序７０３に従って再生される小区間の映像データの再生映像情報が各行に記載されている。
各再生映像情報には、サイト名７０４と、ファイル名７０５と、読み出し開始フレーム番号７０６と、読み出しフレーム数７０７とが記載されている。
【００４０】
サイト名７０４には、実施の形態１と異なり、「ローカル」という記載がある。この「ローカル」は、映像データの属する映像ファイルが映像ファイル提供装置２０１ではなく、映像視聴装置６０１自身のローカル映像ファイル記憶部６０５に記憶されていることを示している。
再生映像構成表７０１のファイル名「○○○○」の映像を再生すると、サイト名「サイト１」の映像ファイル提供装置２０１に記憶されたファイル名「ファイル５」の映像ファイルのフレーム番号「１８００」から「３００」フレームの映像データの再生に続いて、映像視聴装置６０１自身のローカル映像ファイル記憶部６０５に記憶されたファイル名「ファイル６」の映像ファイルのフレーム番号「６００」から「９００」フレームの映像データの再生がされることとなる。
【００４１】
再生映像構成表ファイル読出部２１２は、読み出した再生映像構成表７０１を再生映像情報処理部６０４の映像データ内外判定部６０８に通知する。
映像データ内外判定部６０８は、通知された再生映像構成表７０１の映像データの再生映像情報のサイト名７０４に「ローカル」と記載されているか否かを判定する。「ローカル」と記載されていないときには、実施の形態１と同様に当該映像データの再生映像情報を映像転送命令作成部２１５に通知するとともに、ローカル映像データ読出部６０６にも通知する。
【００４２】
映像データ内外判定部６０８は、サイト名７０４に「ローカル」と記載されているときには、当該映像データの再生映像情報をローカル映像データ読出部６０６に通知する。
映像データ受信部６０９は、インターネット２０３を介して、映像ファイル提供装置２０１の映像データ送信部２０８から送信されてくる映像データを受信すると、ローカル映像ファイル記憶部６０５の蓄積映像データ６１２として書き込む。
【００４３】
ローカル映像ファイル記憶部６０５は、ＤＶＤやＤＶＤ-ＲＡＭ等からなり、映像ファイル６１０と蓄積映像データ６１２とを記憶している。映像ファイル６１０は、ＤＶＤ等に記憶されており、蓄積映像データ６１２は、映像データ受信部６０９で受信された映像データがＤＶＤ-ＲＡＭ等に書き込まれたものである。
【００４４】
ローカル映像データ読出部６０６は、映像データ内外判定部６０８から通知された再生映像情報に従い、ローカル映像ファイル記憶部６０５の映像ファイル６１０の所定の小区間の映像データ又は、蓄積映像データを読み出し、映像データ再生部６０７に通知する。
映像データ再生部６０７は、通知された映像データを再生して出力する。
【００４５】
本実施の形態では、例えば、市販のＤＶＤソフトの映像ファイルの映像データと、その映像ファイルの一部を映像ファイル提供装置２０１に記憶されている映像ファイルの一部の映像データとを組み合わせた映像を再生して出力することができる。このようにすることによって、多彩なバージョンの映像を視聴者は楽しむことができる。
【００４６】
なお、本実施の形態では、映像データ受信部６０９で受信された映像データをローカル映像ファイル記憶部６０５の蓄積映像データとして一旦記憶させるようにしたけれども、映像データ受信部６０９から直接映像データ再生部６０７に通知するようにしてもよい。
次に、本実施の形態の映像視聴装置６０１の動作を図７に示すフローチャートを用いて説明する。
【００４７】
先ず、再生映像構成表ファイル指定部２１１は、再生映像構成表ファイル記憶部６０３に記憶されている再生映像構成表ファイルのファイル名の指定を受け付けるのを待ち、ファイル名を再生映像構成表ファイル読出部２１２に通知する（Ｓ８０２）。
再生映像構成表ファイル読出部２１２は、通知されたファイル名の再生映像構成表７０１を読み出し、再生映像情報処理部６０４の映像データ内外判定部６０８に通知する（Ｓ８０４）。
【００４８】
映像データ内外判定部６０８は、通知された再生映像構成表７０１の再生順序順に再生映像情報を１つ取り出す（Ｓ８０６）。
映像データは、ローカル映像ファイル記憶部６０５に記憶されているか否かをサイト名７０４に「ローカル」が記載されているか否かで判定する（Ｓ８０８）。否のときは、映像転送命令作成部２１５とローカル映像データ読出部６０６とに再生映像情報を通知する（Ｓ８１０）。
【００４９】
映像転送命令作成部２１５は、映像ファイル提供装置宛に映像データの転送命令を作成する（Ｓ８１２）。
映像転送命令送信部２１６は、作成された転送命令をサイト名で識別される映像ファイル提供装置に送信する（Ｓ８１４）。
映像データ受信部６０９は、映像データの受信を待ち（Ｓ８１６）、ローカル映像ファイル記憶部６０５の蓄積映像データとして書き込む（Ｓ８１８）。
【００５０】
Ｓ８０８において、映像データ内外判定部６０８が肯定の判定をしたときは、ローカル映像データ読出部６０６に再生映像情報を通知する（Ｓ８２０）。
ローカル映像データ読出部６０６は、通知された再生映像情報に従い、ローカル映像ファイル記憶部６０５に記憶されている映像ファイルの読み出し開始フレーム番号７０６から読み出しフレーム数７０７だけの映像データを読み出すか、又は、蓄積映像データを読み出し、映像データ再生部６０７に通知する（Ｓ８２２）。
【００５１】
映像データ再生部６０７は、通知された映像データを再生して出力する（Ｓ８２４）。
映像データ内外判定部６０８は、未処理の再生映像情報（映像データ）が、まだあるか否かを判定し（Ｓ８２６）、なければ処理を終了し、あるときには、Ｓ８０６に戻る。
（実施の形態３）
図８は、本発明に係るインターネット放送システムの実施の形態３の構成図である。このインターネット放送システムは、映像ファイル提供装置９０１と複数の映像視聴装置９０２とがインターネット２０３を介して接続されて構成されている。
【００５２】
映像ファイル提供装置９０１は、映像ファイル保管部９０３と再生映像構成表ファイル保管部９０４とを備えている。
映像ファイル保管部９０３は、Ｗｅｂサイトで構成され、サイト名であるＵＲＬで識別される。映像ファイル保管部９０３は、複数の映像ファイル２０４を記憶している映像ファイル記憶部２０５と、映像転送命令受信部２０６と、映像データ読出部２０７と、映像データ送信部２０８とを備え、実施の形態１の映像ファイル提供装置２０１と同様の構成を有する。
【００５３】
再生映像構成表ファイル保管部９０４は、Ｗｅｂサイトで構成され、サイト名であるＵＲＬで識別される。再生映像構成表ファイル保管部９０４は、複数の再生映像構成表ファイル２０９を記憶している再生映像構成表ファイル記憶部２１０と、再生映像構成表転送命令受信部９０５と、再生映像構成表読出部９０６と、再生映像構成表送信部９０７とを備えている。上記実施の形態１の映像視聴装置２０２に備えられていた再生映像構成表ファイル記憶部２１０を映像ファイル提供装置９０１側に備えるようにしたものである。
【００５４】
映像視聴装置９０２は、再生映像構成表転送命令作成部９０８と、再生映像構成表転送命令送信部９０９と、再生映像構成表受信部９１０と、再生映像情報処理部２１３と、映像データ再生部２１４とを備えている。再生映像情報処理部２１３は、映像転送命令作成部２１５と、映像転送命令送信部２１６と、映像データ受信部２１７とを有する。
【００５５】
なお、上記実施の形態１と同様の構成部分には、同一の符号を付し、その説明を省略し、本実施の形態固有の構成について説明する。
再生映像構成表転送命令受信部９０５は、映像視聴装置９０２からインターネット２０３を介して再生映像構成表の転送命令を受信すると、受信した転送命令を再生映像構成表読出部９０６に通知する。
【００５６】
転送命令には、再生映像構成表を要求した映像視聴装置９０２を識別するＩＰアドレスと、再生映像構成表のファイル名とが含まれている。
再生映像構成表読出部９０６は、再生映像構成表ファイル記憶部２１０に記憶されている通知されたファイル名の再生映像構成表を読み出す。読み出した再生映像構成表と映像視聴装置９０２のＩＰアドレスとを再生映像構成表送信部９０７に通知する。
【００５７】
再生映像構成表送信部９０７は、再生映像構成表読出部９０６から通知された再生映像構成表を映像視聴装置９０２のＩＰアドレス宛にインターネット２０３を介して送信する。
映像視聴装置９０２において、再生映像構成表転送命令作成部９０８は、表示デバイス（図示せず）に再生映像構成表のファイル名をメニュー項目として表示させ、視聴者から所望のファイル名の指定を受け付け、指定されたファイル名と映像視聴装置９０２自身のＩＰアドレスとを含む転送命令を作成する。作成した転送命令を再生映像構成表転送命令送信部９０９に通知する。
【００５８】
再生映像構成表転送命令送信部９０９は、映像ファイル提供装置９０１の再生映像構成表ファイル保管部９０４のサイト名であるＵＲＬを予め記憶しており、再生映像構成表転送命令作成部９０８から通知された転送命令をＵＲＬを宛先としてインターネット２０３を介して映像ファイル提供装置９０１の再生映像構成表ファイル保管部９０４に送信する。
【００５９】
再生映像構成表受信部９１０は、映像ファイル提供装置９０１の再生映像構成表ファイル保管部９０４からインターネット２０３を介して再生映像構成表を受信すると、再生映像情報処理部２１３の映像転送命令作成部２１５に受信した再生映像構成表を通知する。
次に、本実施の形態の動作を図９、図１０のフローチャートを用いて説明する。
【００６０】
図９は、映像ファイル提供装置９０１の再生映像構成表ファイル保管部９０４の動作を説明するフローチャートである。
先ず、再生映像構成表転送命令受信部９０５は、映像視聴装置９０２からインターネット２０３を介して再生映像構成表の転送命令を受信するのを待って（Ｓ１００２）、転送命令を再生映像構成表読出部９０６に通知し、再生映像構成表の読み出しを指示する（Ｓ１００４）。
【００６１】
再生映像構成表読出部９０６は、再生映像構成表ファイル記憶部２１０から指定されたファイル名の再生映像構成表を読み出し、再生映像構成表送信部９０７に通知する（Ｓ１００６）。
再生映像構成表送信部９０７は、通知された再生映像構成表を要求元の映像視聴装置９０２宛にインターネット２０３を介して送信し（Ｓ１００８）、Ｓ１００２に戻る。
【００６２】
なお、映像ファイル保管部９０３から映像視聴装置９０２に映像データを送信する動作は、上記実施の形態１の映像ファイル提供装置２０１の動作と同様である。
図１０は、映像視聴装置９０２の動作を説明するフローチャートである。
先ず、再生映像構成表転送命令作成部９０８は、再生映像構成表のファイル名の指定を受けるのを待って（Ｓ１１０２）、再生映像構成表の転送命令を作成する（Ｓ１１０４）。
【００６３】
再生映像構成表転送命令送信部９０９は、作成された転送命令を映像ファイル提供装置９０１の再生映像構成表ファイル保管部９０４にインターネット２０３を介して送信する（Ｓ１１０６）。
再生映像構成表受信部９１０は、再生映像構成表を再生映像構成表ファイル保管部９０４からインターネット２０３を介して受信するのを待って（Ｓ１１０８）、再生映像構成表を映像転送命令作成部２１５に通知する（Ｓ１１１０）。
【００６４】
映像転送命令作成部２１５は、再生映像構成表の再生順序の順に１つの映像データの再生映像情報を取り出し、映像データが記憶されている映像ファイル提供装置９０１の映像ファイル保管部９０３宛に映像データの転送命令を作成する（Ｓ１１１２）。
映像転送命令送信部２１６は、作成された映像データの転送命令をサイト名で識別される映像ファイル保管部９０３に送信する（Ｓ１１１４）。
【００６５】
映像データ受信部２１７は、映像データの受信を待ち、映像データ再生部２１４に通知する（Ｓ１１１６）。
映像データ再生部２１４は映像データを再生して出力する（Ｓ１１１８）。
映像転送命令作成部２１５は、再生映像構成表の再生映像情報で映像データの転送命令の未作成のものがあるか否かを判定し（Ｓ１１２０）、なければ処理を終了し、あればＳ１１１２に戻る。
（実施の形態４）
図１１は、本発明に係るインターネット放送システムの実施の形態４の構成図である。
【００６６】
このインターネット放送システムは、映像ファイル提供装置１２０１と、複数の映像視聴装置９０２とがインターネット２０３を介して接続されて構成されている。
映像ファイル提供装置１２０１は、混合ファイル記憶部１２０３と、転送命令受信判定部１２０４と、再生映像構成表読出部１２０５と、混合ファイル解析部１２０６と、再生映像構成表送信部１２０７と、映像データ読出部１２０８と、映像データ送信部１２０９とを備えている。
【００６７】
映像視聴装置９０２は、上記実施の形態３の映像視聴装置と同様の構成である。
混合ファイル記憶部１２０３には、再生映像構成表と小区間の映像データが接続された映像データ列とが一つのファイルに混在した複数の混合ファイル１２０２の他に、上記実施の形態３の再生映像構成表ファイル保管部９０４に記憶されている複数の再生映像構成表ファイル２０９、映像ファイル保管部９０３に記憶されている複数の映像ファイル２０４が記憶されている。これらの混合ファイル１２０２、再生映像構成表ファイル２０９、映像ファイル２０４は、映像ファイル提供装置１２０１のサイト名と各ファイル名とで特定される。
【００６８】
転送命令受信判定部１２０４は、映像視聴装置９０２の再生映像構成表転送命令送信部９０９または、映像転送命令送信部２１６からインターネット２０３を介して送信されてくる転送命令を受信し、転送命令が再生映像構成表の転送命令であるのか映像データの転送命令であるのか判断する。映像データの転送命令には、ファイル名の他に読み出し開始フレーム番号と読み出しフレーム数とが含まれているが、再生映像構成表の転送命令には、読み出し開始フレーム番号等が含まれていない。再生映像構成表の転送命令のときは、転送命令を再生映像構成表読出部１２０５に通知し、映像データの転送命令のときは、転送命令を映像データ読出部１２０８に通知する。
【００６９】
再生映像構成表読出部１２０５は、転送命令受信判定部１２０４から通知された転送命令に含まれるファイル名を混合ファイル解析部１２０６に通知し、再生映像構成表の通知を混合ファイル解析部１２０６より受ける。通知された再生映像構成表と映像視聴装置９０２のＩＰアドレスとを再生映像構成表送信部１２０７に通知する。
【００７０】
混合ファイル解析部１２０６は、再生映像構成表読出部１２０６からファイル名の通知を受けると、混合ファイル記憶部１２０３に記憶されている複数の混合ファイル１２０２等から通知されたファイル名と一致する混合ファイルを読み出して解析し、再生映像構成表を抽出し、再生映像構成表読出部１２０５に通知する。
【００７１】
また、映像データ読出部１２０８からファイル名と読み出し開始フレーム番号と読出しフレーム数とを含む再生映像情報の通知を受けると、混合ファイル記憶部１２０３に記憶されているファイル名の一致する混合ファイルを読み出して解析し、映像データ列から指定された映像データを読み出し、映像データ読出部１２０８に通知する。
【００７２】
再生映像構成表送信部１２０７は、転送命令の送信元の映像視聴装置９０２宛に再生映像構成表をインターネット２０３を介して送信する。
映像データ読出部１２０８は、転送命令に含まれる再生映像情報を混合ファイル解析部１２０６に通知する。混合ファイル解析部１２０６から映像データの通知を受けると、映像データと転送命令の送信元の映像視聴装置９０２のＩＰアドレスとを映像データ送信部１２０９に通知する。
【００７３】
映像データ送信部１２０９は、映像データを転送命令の送信元の映像視聴装置９０２宛にインターネット２０３を介して送信する。
次に、本実施の形態の映像ファイル提供装置１２０１の動作を図１２に示すフローチャートを用いて説明する。
転送命令受信判定部１２０４は、映像視聴装置９０２から転送命令をインターネット２０３を介して受信するのを待って（Ｓ１３０２）、再生映像構成表の転送命令か否かを判定し（Ｓ１３０４）、肯定であれば、再生映像構成表読出部１２０５に転送命令を通知する。
【００７４】
再生映像構成表読出部１２０５は、通知された転送命令に含まれるファイル名を混合ファイル解析部１２０６に通知する（Ｓ１３０６）。
混合ファイル解析部１２０６は、通知されたファイル名の混合ファイルを混合ファイル記憶部１２０３から読み出し（Ｓ１３０８）、混合ファイルを解析し（Ｓ１３１０）、再生映像構成表を作成する（Ｓ１３１２）。
【００７５】
混合ファイル解析部１２０６は、再生映像構成表を再生映像構成表読出部１２０５に通知する（Ｓ１３１４）。
再生映像構成表送信部１２０７は、再生映像構成表読出部１２０５から通知された再生映像構成表を転送命令の送信元の映像視聴装置９０２に送信して（S１３１６）、処理を終了する。
【００７６】
Ｓ１３０４において、転送命令受信判定部１２０４は、否と判定したときは、映像データの転送命令であるか否かを判定する（Ｓ１３１８）。肯定のときは、転送命令を映像データ読出部１２０８に通知し、否のときは処理を終了する。
映像データ読出部１２０８は、転送命令に含まれるファイル名と読み出し区間とを混合ファイル解析部１２０６に通知する（Ｓ１３２０）。
【００７７】
混合ファイル解析部１２０６は、通知されたファイル名の混合ファイルを混合ファイル記憶部１２０３から読み出し（Ｓ１３０８）、混合ファイルを解析し（Ｓ１３１０）、指定区間の映像データを抽出する（Ｓ１３２６）。
混合ファイル解析部１２０６は、抽出した映像データを映像データ読出部１２０８に通知する（Ｓ１３２８）。
【００７８】
映像データ送信部１２０９は、映像データ読出部１２０８から通知された映像データを転送命令の送信元の映像視聴装置９０２に送信して（Ｓ１３３０）、処理を終了する。
（実施の形態５）
図１３は、本発明に係るインターネット放送システムの実施の形態５の構成図である。このインターネット放送システムは、映像ファイル提供装置１４０１と映像視聴装置１４０２とがインターネット２０３を介して接続されて構成される。
【００７９】
映像ファイル提供装置１４０１は、複数の混合ファイル１４０３を記憶している混合ファイル記憶部１４０４と、再生映像構成表読出部１４０５と、混合ファイル解析部１４０６と、再生映像構成表送信部１４０７と、映像転送命令受信部１４０８と、映像データ読出部１４０９と、映像データ送信部１４１０とを備えている。
【００８０】
混合ファイル１４０３は、実施の形態４の混合ファイル１２０２と同様の構成である。ファイル名の「ｅＰａｃｋａｇｅ．ｘｍｌ」の混合ファイルを図１４に例示する。
混合ファイル１５０１は、マークアップ言語の一種であるＸＭＬ（ｅＸｔｅｎｓｉｂｌｅ  Ｍａｒｋｕｐ  Ｌａｎｇｕａｇｅ）を一部拡張した形式で記載されている。なお、ＸＭＬについては、「標準ＸＭＬ完全解説」（株式会社技術評論社発行、ＩＳＢＮ４−７７４１−０５８４−８Ｃ３０５５）に詳述されている。
【００８１】
以下、混合ファイル１５０１の内容を説明する。
第１行１５０２は、マークアップ言語の名称とバージョンとを表している。ここでは映像を扱えるＸＭＬという意味で、ＡＶＸＭＬと名付けられており、そのバージョンが１．０であることを示している。このことから、この形式の混合ファイル１５０１を以降ＡＶＸＭＬファイルと呼ぶ。
【００８２】
"［＞"１５０３と"］＞"１５０４とに囲まれた範囲には、ＡＶＸＭＬ上でのドキュメントタイプが定義されている。ドキュメントタイプとは、マークアップ言語におけるデータのフォーマットを表現する用語である。ここでは、ｖｉｄｅｏｐｒｏｇｒａｍというタグを持つドキュメントで用いられる用語を規定している。
【００８３】
第３行、第４行１５０５には、ＶＩＤＥＯ１という用語がＶＩＤＥＯＣＵＴＬＩＳＴという識別子により映像データを表していることを定義している。
具体的には、ｓｅｌｆという識別子により、このＡＶＸＭＬファイル１５０１自身が持つ映像データを表し、「中之島雨模様映像」という映像データ列のタイムコードが００：００：３０：００から００：０１：３０：００まで、つまり３０秒目から１分３０秒目までの１分間の映像データであることを定義している。
【００８４】
同様に第５行目、第６行１５０６には、ＶＩＤＥＯ２という用語が映像データを表していることを定義している。
具体的には、ｅｘｔｅｒｎａｌという識別子により他の映像ファイル提供装置にある映像データを表している。続く「avxml://.www.x.com/九州の状況」により、ＡＶＸＭＬ形式のファイルで「www.x.com」というサイト名の中の「九州の状況」というファイルを表している。ＶＩＤＥＯ２は、「九州の状況」ファイルのタイムコード００：０１：００：００から００：０３：００：００まで、つまり１分目から３分目までの２分間の映像データであることを定義している。
【００８５】
同様に第７行、第８行１５０７には、ＶＩＤＥＯ３という用語が映像データを表していることを定義している。
具体的には、ｌｏｃａｌという識別子により、このＡＶＸＭＬファイル１５０１を受信する映像視聴装置１４０２のローカル映像ファイル記憶部１４１１に記憶されている映像ファイルの映像データを表している。続く「Ｄ：／前回のニュース映像」により、映像視聴装置１４０２のＤドライブという名称でアクセスできる媒体中の「前回のニュース映像」というファイルを表している。ＶＩＤＥＯ３は、この「前回のニュース映像」ファイルのタイムコード００：００：００：００から００：０２：００：００まで、つまり０秒目から２分目までの２分間の映像データであることを定義している。
【００８６】
第１０行１５０８から第３４行１５０９までが、「ｖｉｄｅｏｐｒｏｇｒａｍ」というタグで、再生映像構成表ならびに自身が保持する映像データを表現している。再生映像構成表の名前は第１１行１５１０で「今日のお天気」、この映像番組の全部の時間長は第１２行１５１１でタイムコード００：０５：００：００、つまり５分間の映像であることを表している。
第１３行１５１２から第２３行１５１３までが「再生映像構成表」というタグで、様々な映像データをどのように組み合わせて映像番組を構成しているかを表している。
【００８７】
第１４行１５１４から第１６行１５１５、第１７行１５１６から第１９行１５１７、第２０行１５１８から第２２行１５１９は、それぞれ「ｖｉｄｅｏｃｕｔ」というタグで表される映像データを表している部分で、第１５行１５２０では先にＶＩＤＥＯ１という識別子で定義した映像データを引用し、第１８行１５２１ではＶＩＤＥＯ２という識別子で定義した映像データを引用し、第２１行１５２２ではＶＩＤＥＯ３という識別子で定義した映像データを引用することを表している。
【００８８】
この第２２行１５１３までの記述でこのＡＶＸＭＬファイル１５０１は、「今日のお天気」という番組が再生時には、本ＡＶＸＭＬファイル１５０１中の「中之島雨模様映像」という映像データ列の３０秒目から１分３０秒目を再生し、次にwww.x.comというサイトの「九州の映像」という映像ファイルの１分目から２分間を再生し、最後に映像視聴装置１４０２に記憶されている「前回のニュース」という映像ファイルの０秒目から２分間を再生する合計５分間の映像であることを示している。
【００８９】
第２４行１５２３から第３３行１５２４までは映像データ列の記述である。第２５行１５２５でこの映像データ列は「中之島雨模様映像」というタイトルであることを表し、第２６行１５２６でその全時間長はタイムコードで００：０２：００：００つまり２分間であること、第２７行１５２７でその開始フレームのタイムコードは００：００：００：００、第２８行１５２８で終了フレームのタイムコードは００：０２：００：００であることが記述され、第２９行１５２９で各フレームは「ＪＰＥＧ  Ｉｎｔｅｒｃｈａｎｇｅ  Ｆｏｒｍａｔ」という名前の符号化方式で符号化されていることが表されている。
【００９０】
第３０行１５２３から第３２行１５３１は「ｖｉｄｅｏｃｏｎｔｅｎｔｓ」というタグで、実際の映像データ列そのものが表されている。ここでは映像データ列はバイナリデータとして第３１行１５３２の位置に格納されている。なお、このバイナリデータは、これをＡＳＣＩＩテキストで表現するようなものであっても構わない。
【００９１】
再生映像構成表読出部１４０５は、混合ファイル解析部１４０６にファイル名を指定して、混合ファイル記憶部１４０４に記憶されている混合ファイル１４０３から再生映像構成表を作成するよう指示する。混合ファイル解析部１４０６から作成された再生映像構成表が通知されると、再生映像構成表送信部１４０７に再生映像構成表を通知し所定の時間間隔で一定の期間、例えば午後０時から午後１２時の間１０分間隔で、全ての映像視聴装置１４０２に送信するよう指示する。これは、インターネットでのブロードキャスト、マルチキャストの技術を用いて実施される。
【００９２】
混合ファイル解析部１４０６は、再生映像構成表読出部１４０５から再生映像構成表の作成を指示されると、混合ファイル記憶部１４０４に記憶されている混合ファイル１４０３等から指定されたファイル名の混合ファイル１４０３を読み出して解析し、再生映像構成表を作成する。
例えば、再生映像構成表読出部１４０５がファイル名「ｅＰａｃｋａｇｅ．ｘｍｌ」を指定して、再生映像構成表の作成を指示してきたときには、ＡＶＸＭＬファイル１５０１を読み出して、第１３行１５１２から第２３行１５１３までの「再生映像構成表」というタグを解析して、再生映像構成表を作成する。この際、「ｓｅｌｆ」という識別子のＡＶＸＭＬファイル１５０１自身の映像データの再生映像情報には、サイト名として、自身のサイト名「ｗｗｗ.ｙ.ｃｏｍ」をファイル名として「ｅＰａｃｋａｇｅ．ｘｍｌ」を記載する。
【００９３】
また、再生映像構成表の映像名として、第１１行１５１０に示された「ｔｉｔｌｅ」タグで示される「今日のお天気」を用いる。
混合ファイル解析部１４０６は、図１５に示すような再生映像構成表１６０１を作成すると、再生映像構成表読出部１４０５に通知する。
なお、本実施の形態では映像データの再生映像情報として、上記実施の形態１〜４で映像データの範囲を読み出し開始フレーム番号３０６と読み出しフレーム数３０７とで示していたのを、開始タイムコード１６０２と終了タイムコード１６０３とに替えて示している。
【００９４】
また、混合ファイル解析部１４０６は、映像データ読出部１４０９からファイル名と開始タイムコードと終了タイムコードとの通知を受けると、混合ファイル記憶部１４０４から通知されたファイル名のファイルを読み出して解析し、映像データ列から開始タイムコードから終了タイムコードまでの映像データを読み出し、映像データ読出部１４０９に通知する。
【００９５】
例えば、再生映像構成表１６０１の再生順序「１」の映像データの転送命令を映像データ読出部１４０９が受けている場合には、ＡＶＸＭＬファイル１５０１の「映像データ列」タグで示されてる２分間の「中之島雨模様映像」の映像バイナリデータ１５３２の３０秒目から１分３０秒目の映像データを読み出して、映像データ読出部１４０９に通知する。
【００９６】
再生映像構成表送信部１４０７は、再生映像構成表読出部１４０５の指示に従い、一定の期間、所定の間隔で通知された再生映像構成表をインターネット２０３を介して全ての映像視聴装置１４０２に送信する。
映像転送命令受信部１４０８は、映像視聴装置１４０２から映像データの転送命令を受信すると、転送命令を映像データ読出部１４０９に通知する。
映像データ読出部１４０９は、通知された転送命令からファイル名と開始タイムコードと終了タイムコードとを混合ファイル解析部１４０６に通知する。混合ファイル解析部１４０６から映像データの通知を受けると、転送命令に含まれる映像視聴装置１４０２のＩＰアドレスとともに映像データを映像データ送信部１４１０に通知する。
【００９７】
映像データ送信部１４１０は、インターネット２０３を介して、映像データの転送命令の送信元の映像視聴装置１４０２に映像データを送信する。
映像視聴装置１４０２は、ローカル映像ファイル記憶部１４１１と、再生映像構成表受信部１４１２と、再生映像情報処理部１４１３と、ローカル映像データ読出部１４１４と、映像データ再生部１４１５とを備えている。再生映像情報処理部１４１３は、映像データ内外判定部１４１６と映像転送命令作成部１４１７と、映像転送命令送信部１４１８と、映像データ受信部１４１９とを有している。
【００９８】
ローカル映像ファイル記憶部１４１１は、映像ファイルを記憶している。この映像ファイルは、小区間の映像データが接続されて構成されており、映像ファイル提供装置１４０１から受信される映像データと組み合わされて再生される。
再生映像構成表受信部１４１２は、映像ファイル提供装置１４０１から送信される再生映像構成表を受信し、図示しない表示デバイスにその映像名を表示させる。視聴者がその映像を視聴するときには、再生映像構成表受信部１４１２に指示デバイス（図示せず）から映像名の選択指示を与えると、再生映像構成表受信部１４１２は、再生映像情報処理部１４１３の映像データ内外判定部１４１６に受信した再生映像構成表を通知する。
映像データ内外判定部１４１６は、通知された再生映像構成表の再生順序の順に映像データの再生映像情報を１つずつ読み出し、映像データが映像視聴装置１４０２自身のローカル映像ファイル記憶部１４１１に記憶されているものか否かを、サイト名に「ｌｏｃａｌ」が記載されているか否かで判断する。「ｌｏｃａｌ」と記載されていないときは、その映像データの再生映像情報を映像転送命令作成部１４１７に通知し、「ｌｏｃａｌ」と記載されているときは、ローカル映像データ読み出し部１４１４にその映像データの再生映像情報を通知する。
【００９９】
例えば、再生映像構成表１６０１が映像データ内外判定部１４１６に通知されている場合に、再生時順序「１」「２」の映像データの再生映像情報は、映像転送命令作成部１４１７に通知され、再生順序「３」の映像データの再生映像情報は、ローカル映像データ読出部１４１４に通知される。
映像転送命令作成部１４１７は、映像データ内外判定部１４１６から映像データの再生映像情報の通知を受けると、映像視聴装置１４０２のＩＰアドレスと、映像データの属するファイル名と、開始タイムコードと、終了タイムコードとを含む転送命令を作成し、サイト名とともに作成した転送命令を映像転送命令送信部１４１８に通知する。
【０１００】
映像転送命令送信部１４１８は、映像転送命令作成部１４１７から通知された転送命令を通知されたサイト名の映像ファイル提供装置１４０１宛にインターネット２０３を介して送信する。
映像データ受信部１４１９は、インターネット２０３を介して映像ファイル提供装置１４０１から映像データを受信すると、受信した映像データを映像データ再生部１４１５に通知する。
【０１０１】
ローカル映像データ読み出し部１４１４は,映像データ内外判定部1416から映像データの再生映像情報の通知を受けると、ローカル映像ファイル記憶部１４１１に記憶されているファイル名で識別される映像ファイルの開始タイムコードから終了タイムコードまでを読出して、映像データ再生部1415に通知する。
映像データ再生部１４１５は,映像データ受信部１４１９またはローカル映像データ読出部１４１４から通知された映像データを再生して出力する。
【０１０２】
次に、本実施の形態の動作を図１６から図１８に示すフローチャートを用いて説明する。
図１６は、再生映像構成表の送信動作を説明するフローチャートである。
先ず、再生映像構成表読出部１４０５は、混合ファイル解析部１４０６に再生映像構成表の作成指示をする（Ｓ１７０２）。
【０１０３】
混合ファイル解析部１４０６は、混合ファイル記憶部１４０４に記憶されている複数の混合ファイル１４０３から一つの混合ファイルを読み出して解析して、再生映像構成表を作成し、再生映像構成表読出部１４０５に通知する（Ｓ１７０４）。
再生映像構成表読出部１４０５は、所定の時間間隔（所定の時刻）に達するのを待って（Ｓ１７０６）、再生映像構成表送信部１４０７に再生映像構成表を通知して、送信指示を行う（Ｓ１７０８）。
【０１０４】
再生映像構成表送信部１４０７は、全ての映像視聴装置１４０２宛にインターネット２０３を介して送信する（Ｓ１７１０）。
再生映像構成表読出部１４０５は、再生映像構成表の送信の終期である所定の時刻に達したか否かを判定し（Ｓ１７１２）、達していれば処理を終了し、達していなければＳ１７０６に戻る。
【０１０５】
図１７は、映像データの送信動作を説明するフローチャートである。
映像転送命令受信部１４０８は、インターネット２０３を介して映像視聴装置１４０２の映像転送命令送信部１４１８から映像データの転送命令を受信するのを待って（Ｓ１８０２）、映像データ読出部１４０９に転送命令を通知する（Ｓ１８０４）。
【０１０６】
映像データ読出部１４０９は、通知された転送命令に従い、混合ファイル解析部１４０６に映像データの読み出しを指示する（Ｓ１８０６）。
混合ファイル解析部１４０６は、混合ファイル記憶部１４０４から指定された混合ファイルを読み出して解析し、映像データ読出部１４０９に映像データを通知する（Ｓ１８０８）。
【０１０７】
映像データ読出部１４０９は、通知された映像データを送信先の映像視聴装置１４０２のＩＰアドレスとともに映像データ送信部１４１０に通知する（Ｓ１８１０）。
映像データ送信部１４１０は、通知された映像データを映像視聴装置１４０２宛に送信する（Ｓ１８１２）。
【０１０８】
図１８は、映像視聴装置１４０２での動作を説明するフローチャートである。
再生映像構成表受信部１４１２は、再生映像構成表の受信を待ち（Ｓ１９０２）、当該再生映像構成表に示される映像の視聴指示を受けると（Ｓ１９０４）、再生映像構成表を映像データ内外判定部１４１６に通知する（Ｓ１９０６）。
映像データ内外判定部１４１６は、再生順序の順に映像データの再生映像情報を１つ読み出し（Ｓ１９０８）、サイト名に「ｌｏｃａｌ」と記載された即ち、ローカル映像ファイル記憶部１４１１に記憶された映像データであるか否かを判定する（Ｓ１９１０）。
【０１０９】
映像データ内外判定部１４１６は、否と判定したときは、再生映像情報を映像転送命令作成部１４１７に通知する（Ｓ１９１２）。
映像転送命令作成部１４１７は映像データの転送命令を作成し、映像転送命令送信部１４１８に通知する（Ｓ１９１４）。
映像転送命令送信部１４１８は、転送命令をサイト名で識別される映像ファイル提供装置１４０１にインターネット２０３を介して送信する（Ｓ１９１６）。
【０１１０】
映像データ受信部１４１９は、映像データの受信を待って（Ｓ１９１８）、映像データ再生部１４１５に通知する（Ｓ１９２０）。
Ｓ１９１０において、映像データ内外判定部１４１６は、肯定と判定したときは、ローカル映像データ読出部１４１４に再生映像情報を通知する（Ｓ１９２２）。
【０１１１】
ローカル映像データ読出部１４１４は、通知された再生映像情報に従い、ローカル映像ファイル記憶部１４１１に記憶されている映像ファイルから映像データを読み出し、映像データ再生部１４１５に通知する（Ｓ１９２４）。
映像データ再生部１４１５は、通知された映像データを再生して出力する（Ｓ１９２６）。
【０１１２】
映像データ内外判定部１４１５は、再生映像構成表の未判定の再生映像情報がまだあるか否かを判定し（Ｓ１９２８）、なければ処理を終了し、あればＳ１９０８に戻る。
（実施の形態６）
図１９は、本発明に係るインターネット放送システムの実施の形態６の構成図である。このインターネット放送システムは、映像ファイル提供装置２００１と、複数の映像視聴装置２００２とが、インターネット２０３を介して接続されて構成されている。
【０１１３】
映像ファイル提供装置２００１は、複数の暗号化混合ファイル（以下「混合ファイル」という）２００３を記憶している混合ファイル記憶部２００４と、混合ファイル転送命令受信部２００５と、混合ファイル読出部２００６と、混合ファイル送信部２００７とを備えている。
混合ファイル２００３は、上記実施の形態５で説明した混合ファイルの映像バイナリデータが暗号化された複数の映像データ列を含んでおり、この映像データ列を構成する小区間の映像データの再生順序を様々に変化させた複数の再生映像構成表を含んでいる。
【０１１４】
図２０は、この再生映像構成表の一例を示す図である。
再生映像構成表２１０１は、この再生映像構成表２１０１再生順序に従い映像データを再生した映像の映像名２１０２ごとに作成されている。
再生映像構成表２１０１には、上記実施の形態１〜５と同様に映像データの再生順序２１０３の順に、再生映像情報２１０４が記載されている。
【０１１５】
再生映像情報２１０４のサイト名２１０５に「自ファイル内」とあるのは、上記実施の形態の「ｌｏｃａｌ」と同様で、映像視聴装置２００２内に記憶されていることを示している。
データ列名２１０６は、混合ファイル２００３内に含まれる複数の映像データ列を識別するための名称である。
【０１１６】
再生開始タイムコード２１０７と再生タイムコード長２１０８は、映像データの範囲を示すものであり、映像データ列の再生開始タイムコード２１０７から再生タイムコード長２１０８の時間継続する映像データであることを示している。
データ鍵（暗号化済）２１０９は、暗号化された映像データを復号するための暗号化されたデータ鍵である。この暗号化されたデータ鍵を復号したデータ鍵で映像データを復号することができる。
【０１１７】
また、再生映像構成表には、この再生映像構成表２１０１に従い映像データを再生するときの再生料金２１１０が「本構成表の再生=２００円」として記載されている。
更に、再生映像構成表２１０１には、この再生映像構成表２１０１と映像データ列とが含まれる混合ファイル２００３を制作するときに用いられた制作ツールの制作ツールメーカの識別子２１１１が「制作ツールメーカ=○×電器」として記載され、映像データを再生するときの再生料金２１１０のうち、この制作ツールメーカへ還付される還付率２１１２が「制作ツールメーカへのキックバック率=２０％」として記載されている。
【０１１８】
混合ファイル記憶部２００４は、複数の混合ファイル２００３を記憶している。
混合ファイル転送命令受信部２００５は、映像視聴装置２００２からインターネット２０３を介して混合ファイルの転送命令を受信する。受信した転送命令を混合ファイル読出部２００６に通知する。
【０１１９】
混合ファイル読出部２００６は、通知された転送命令に含まれるファイル名の混合ファイルを混合ファイル記憶部２００４から読み出し、混合ファイル送信部２００７に通知する。この際、転送命令に含まれる転送命令の送信元の映像視聴装置２００２のＩＰアドレスも同時に通知する。
混合ファイル送信部２００７は、通知されたＩＰアドレスの映像視聴装置２００２宛に暗号化混合ファイルをインターネット２０３を介して送信する。
【０１２０】
映像視聴装置２００２は、混合ファイル指定部２００８と、混合ファイル転送命令作成部２００９と、混合ファイル転送命令送信部２０１０と、混合ファイル受信部２０１１と、ローカル混合ファイル記憶部２０１２と、再生映像情報処理部２１０３と、課金部２０１４と、映像データ再生部２０１５とを備えている。再生映像情報処理部２０１３は、再生映像構成表解釈部２０１６と、映像データ読出部２０１７と、映像データ復号部２０１８とを有する。
【０１２１】
混合ファイル指定部２００８は再生映像構成表の映像名の指定を受け付ける。この指定は、例えば、表示デバイス（図示せず）に混合ファイルのファイル名と、その混合ファイルに含まれる再生映像構成表の映像名の一覧とを表示しておき、この映像名の一覧から一の映像名の指定を視聴者から受け付けることにより行なう。なお、この表示は、予め配布された記録媒体に記録されたものを表示してもよいし、映像ファイル提供装置２００１等が提供するホームページにアクセスして表示されるものであってもよい。
【０１２２】
混合ファイル指定部２００８は、指定された映像名を再生映像情報処理部２０１３の再生映像構成表解釈部２０１６に通知し、併せて、この再生映像構成表を含む混合ファイルのファイル名を混合ファイル転送命令作成部２００９に通知する。
混合ファイル転送命令作成部２００９は、予め混合ファイルのファイル名と、その混合ファイルが記憶されている映像ファイル提供装置２００１のサイト名とを対応付けて記憶している。混合ファイル転送命令作成部２００９は、混合ファイル指定部２００８からファイル名の通知を受けると、ファイル名と映像視聴装置２００２自身のＩＰアドレスとを含めた転送命令を作成し、その混合ファイルのサイト名とともに作成した転送命令を混合ファイル転送命令送信部２０１０に通知する。
【０１２３】
混合ファイル転送命令送信部２０１０は、混合ファイル転送命令作成部２００９から通知された転送命令をサイト名で識別される映像ファイル提供装置２００１宛にインターネット２０３を介して送信する。
混合ファイル受信部２０１１は、映像ファイル提供装置２００１から送信されてくる混合ファイルを受信し、ローカル混合ファイル記憶部２０１２に書き込む。
【０１２４】
ローカル混合ファイル記憶部２０１２は、ハードディスクやＤＶＤ−ＲＡＭ等からなり、混合ファイルを記憶している。
再生映像構成表解釈部２０１６は、混合ファイル指定部２００８から映像名の通知を受けると、ローカル混合ファイル記憶部２０１２に混合ファイルが書き込まれるのを待ち、混合ファイルを読み出して解釈する。混合ファイルから通知された映像名の再生映像構成表を作成して映像データ読出部２０１７と映像データ復号部２０１８と課金部２０１４とに通知する。
【０１２５】
映像データ読出部２０１７は、通知された再生映像構成表の再生順序の順に再生映像情報に従い、ローカル混合ファイル記憶部２０１２から暗号化された映像データを読み出し、映像データ復号部２０１８に通知する。
映像データ復号部２０１８は、再生映像構成表解釈部２０１６から再生映像構成表の通知を受けると、暗号化されたデータ鍵を課金部２０１４から通知される課金鍵を用いて復号して、復号されたデータ鍵を得る。映像データ復号部２１８は、この復号されたデータ鍵を用いて、映像データ読出部２０１７から通知された暗号化された映像データを復号し、復号した映像データを映像データ再生部２０１５に通知する。
【０１２６】
課金部２０１４は、課金鍵を予め記憶しており、制作ツールメーカキックバック計算部２０１９を有している。
課金鍵は、再生映像構成表解釈部２０１６から通知される再生映像構成表に記載された暗号化されたデータ鍵を復号するためのものである。
今、図２０に示した再生映像構成表２１０１が再生映像構成表解釈部２０１６から通知されると、映像データを再生するときの再生料金２１１０を課金した後、課金鍵、例えば「ｐｇｒｓ」を映像データ復号部２０１８に通知する。
【０１２７】
これによって、映像データ復号部２０１８は課金鍵「ｐｇｒｓ」を用いて、再生順序「１」の暗号化されたデータ鍵「ｈｋｄｆｈｄｓｆｎｓ」をデータ鍵「１２３４５６７８」に復号し、暗号化された映像データをデータ鍵「１２３４５６７８」を用いて復号する。同様に再生順序「２」の暗号化されたデータ鍵「Ｎｊｄｋｖｍｋｆｄ：」を課金鍵「ｐｇｒｓ」を用いてデータ鍵「８７６５４３２１」に復号する。
【０１２８】
制作ツールメーカキックバック計算部２０１９は、映像データを再生するときの料金２１１０に制作ツールメーカへの還付率２１１２を掛け算し、還付額を求め、制作ツールメーカの識別子２１１１とともに記憶する。ここでは還付率が「２０％」であり、再生料金が「２００円」であるので、「○×電器には、２００円×２０／１００＝４０円がキックバック額となる。なお、これらの再生料金２１１０やキックバック額は、課金部２０１４が図示しないクレジットカード会社の課金センターとインターネットを介して接続されて報告され、混合ファイル制作者やツールメーカにクレジットカード会社から振り込まれたり、ｂｉｔ  ｃａｓｈやｗｅｂ  ｍｏｎｅｙ等の電子マネーで精算される。
【０１２９】
映像データ再生部２０１５は、映像データ復号部２０１８から通知された復号された映像データを再生して出力する。
次に本実施の形態の映像視聴装置２００２の課金部２０１４の動作を主に図２１のフローチャートを用いて説明する。
課金部２０１４は、再生映像構成表２１０１の通知されるのを待って（Ｓ２２０２）、再生映像構成表の映像データの再生料金２１１０を見て課金する（Ｓ２２０４）。
【０１３０】
更に、制作ツールメーカキックバック計算部２０１９は、この再生料金２１１０に還付率２１１２を掛け算して、制作ツールメーカへの還付額を計算し、制作ツールメーカの識別子とともに記録する（Ｓ２２０６）。
課金部２０１４は、映像データ復号部２０１８に課金鍵を通知する（Ｓ２２０８）。
【０１３１】
映像データ復号部２０１８は、再生映像構成表２１０１の再生順序の順にデータ鍵２１０９を１つ読み出し、通知された課金鍵を用いて復号する（Ｓ２２１０）。次に、映像データ読み出し部２０１７から通知された暗号化された映像データを復号されたデータ鍵で復号し、映像データ再生部２０１５に通知する（Ｓ２２１２）。
【０１３２】
映像データ再生部２０１５は、映像データを再生して出力する（Ｓ２２１４）。
課金部２０１４は、再生映像構成表２１０１に未復号の暗号化されたデータ鍵はまだあるか否かを判定し（Ｓ２２１６）、なければ、処理を終了し、あればＳ２２１０に戻る。
【０１３３】
なお、映像視聴装置２００２での混合ファイル２００３の受信動作や映像ファイル提供装置２００１での混合ファイルの送信動作は、上述した各実施の形態とほぼ同様であるので説明を省略する。
また、本実施の形態では、制作ツールメーカキックバック計算部２０１９は、再生映像構成表に記載された還付率に従い、制作ツールメーカへのキックバック額を計算したけれども、再生映像構成表にキックバック額の計算式を記載しておき、その計算式に従いキックバック額を計算するようにしてもよい。
【０１３４】
例えば、以下の計算式が用いられる。
制作ツールメーカへのキックバック金額＝情報鮮度×１円＋３５０円（ただし、情報鮮度＞０）
情報鮮度＝１００−（混合ファイルダウンロード日−混合ファイル公開日）
なお、情報鮮度は、混合ファイルの公開日直後に、ダウンロードした場合は、キックバック金額を高額に設定し、例えば上式で公開日から１００日経過後では、情報鮮度に依存しないものとしている。
【０１３５】
また、制作ツールメーカへのキックバック金額を支払った残余の再生料金を混合ファイルの制作者に支払うものとしたけれども、制作者だけでなく、電子的な流通業者や電子的な小売業者等の混合ファイルの販売業者であってもよい。
また、上記各実施の形態では、図１等に構成図を示したけれども、各構成要素の機能をコンピュータに発揮させるプログラムをコンピュータ読み取り可能な記録媒体に記録しておき、これを種々の映像データの再生順序の順に映像を再生する機能のない映像視聴装置に用いるようにしてもよい。これによって、本発明と同様の効果を発揮することができる。
【０１３６】
また、これまでの各実施の形態においては再生映像構成表は、一つ以上の小区間の映像をつなぎ合わせたもので表現してきたが、映像視聴装置側に効果を実行する手段を追加した場合には、映像間のつなぎの部分でワイプ等の映像効果をかける表現効果も可能である。
また，映像の番組を時間分割し、間にコマーシャルをはさむように再生映像構成表を構成することが本発明の枠組みでは容易に実現できる。元の映像番組が有料コンテンツであった場合に、視聴者に対して自社商品を宣伝したい広告主が映像番組にＣＭを付与して、視聴料を代行するシステムも構築可能である。
【０１３７】
更に本発明では再生映像構成表が映像視聴装置に送られる実施の形態では、その転送経路としてインターネットを介してくる構成で説明したが、これはデジタル放送波で来ても構わないし、ＤＶＤ等のパッケージメディアで来ても構わない。
【０１３８】
【発明の効果】
以上説明したように、本発明は、複数の映像視聴装置とインターネットで接続され、各視聴装置からサイト名でアクセスされる映像ファイル提供装置であって、区間の映像データを連続してなる映像ファイルをフレーム単位に管理し、記憶している映像ファイル記憶手段と、各映像視聴装置から映像ファイルと、そのファイル中の所望区間の映像データを特定する要求をインターネットを介して受け付ける受付手段と、要求内容を解釈し、特定区間のフレーム単位の映像データを前記映像ファイル記憶手段から読み出す読出手段と、み出された映像データを要求元の映像視聴装置にインターネットを介して送信する送信手段とを備えることとしている。このような構成によって、映像ファイル提供装置では、読出手段は、映像ファイル全体を読み出すことなく、受け付け手段で要求された映像再生に必要な小区間の映像データだけを読み出すようにするので、要求が予想されるあらゆる順番に映像データを接続した映像ファイルを用意する必要がなくなる。これによって、映像ファイル記憶手段の記憶容量を膨大にすることなく、映像視聴装置を有する視聴者に種々の再生映像を提供することができる。
【０１３９】
また、複数の映像視聴装置とインターネットで接続される映像ファイル提供装置は、各映像視聴装置からサイト名でアクセスされる映像ファイル保管装置と再生映像構成表保管装置とから構成され、前記映像ファイル保管装置は、区間の映像データを連続してなる映像ファイルをフレーム単位に管理し、記憶している映像ファイル記憶手段と、各映像視聴装置から映像ファイルと、そのファイル中の所望区間の映像データを特定する要求をインターネットを介して受け付ける受付手段と、要求内容を解釈し、特定区間のフレーム単位の映像データを前記映像ファイル記憶手段から読み出す読出手段と、読み出された映像データを要求元の映像視聴装置にインターネットを介して送信する送信手段とを備え、前記再生映像構成表保管装置は、前記映像データの再生順に映像データを特定する再生映像情報を記載した複数の再生映像構成表を記憶している再生映像構成表記憶手段と、各映像視聴装置から前記再生映像構成表記憶手段に記憶されている複数の再生映像構成表のうち、一の再生映像構成表を指定する要求をインターネットを介して受け付ける再生映像構成表受付手段と、指定された再生映像構成表を読み出す再生映像構成表読出手段と、読み出された再生映像構成表を要求元の映像視聴装置にインターネットを介して送信する再生映像構成表送信手段とを備えることとしている。このような構成によって、全ての映像視聴装置に再生映像構成表を備える負荷を軽減することができ、かつ、上述したと同様に映像ファイル記憶手段の記憶容量を膨大にすることなく、映像視聴装置を有する視聴者に種々の再生映像を提供することができる。
【０１４０】
また、複数の映像視聴装置とインターネットで接続され、各映像視聴装置からサイト名でアクセスされる映像ファイル提供装置は、区間の映像データを連続してなり、フレーム単位に管理されている映像データ列と、前記映像データの再生順に映像データを特定する再生映像情報を記載した複数の再生映像構成表とからなる混合ファイルを記憶している混合ファイル記憶手段と、 前記混合ファイル記憶手段に記憶されている混合ファイルを解釈して一の再生映像構成表を読み出す再生映像構成表読出手段と、各映像視聴装置から混合ファイルと、混合ファイル中の映像データ列と、映像データ列中の映像データを特定する要求をインターネットを介して受け付ける受付手段と、映像データの要求が受け付けられると、混合ファイル記憶手段に記憶されている混合ファイルを解釈して、特定区間のフレーム単位の映像データを読み出す解釈読出手段と、読み出された再生映像構成表をインターネットを介して送信する再生映像構成表送信手段と、読み出された映像データを要求元の映像視聴装置にインターネットを介して送信する送信手段とを備えていることとしている。このような構成によって、再生映像構成表を映像データ列と同じファイルに収容することができるので、ファイル管理が容易となり、かつ、混合ファイル記憶手段の記憶容量を膨大にすることなく、視聴者に種々の再生映像を提供することができる。
【０１４１】
また、各映像視聴装置から前記混合ファイル記憶手段に記憶されている一の再生映像構成表の要求をインターネットで受け付ける再生映像構成表受付手段を更に備え、前記再生映像構成表読出手段は、これを受けて、一の再生映像構成表を読み出し、前記再生映像構成表送信手段は、要求元の映像視聴装置に再生映像構成表を送信することとしている。このような構成によって、視聴者は、再生映像構成表を映像ファイル提供装置に要求すればよく、映像視聴装置に再生映像構成表を記憶しておく必要がなくなる。
【０１４２】
また、前記再生映像構成表送信手段は、所定期間の間、一定の時間間隔で全ての映像視聴装置に再生映像構成表を送信することとしている。このような構成によって、映像視聴装置において、視聴者は、所望の再生映像構成表を受信したとき、その再生映像構成表に記載された映像データを要求して再生映像を視聴することができる。
【０１４３】
また、本発明は、サイト名でアクセスされ、区間の映像データを連続してなる映像ファイルを記憶し、要求された映像データを読み出し、読み出された映像データをインターネットを介して送信する映像ファイル提供装置とインターネットで接続される映像視聴装置であって、前記映像データの再生順に映像データを特定する再生映像情報を記載した複数の再生映像構成表を記憶している再生映像構成表記憶手段と、前記再生映像構成表記憶手段に記憶されている複数の再生映像構成表のうち、一の再生映像構成表の指定を受け付ける再生映像構成表指定受付手段と、指定された再生映像構成表を読み出す再生映像構成表読出手段と、読み出された再生映像構成表に記載された再生映像情報に従い、前記映像ファイル提供装置に映像データを再生順にインターネットを介して要求する要求手段と、要求先の映像ファイル提供装置からインターネットを介して送信されてくる映像データを受信する受信手段と、受信された映像データを再生順に再生出力する映像データ再生手段とを備えることとしている。このような構成によって、視聴者は、所望の映像データの再生順の再生映像構成表を指定することによって、自ら編集することなく、種々の再生映像を見ることができる。
【０１４４】
また、前記再生映像情報には、映像データの属する映像ファイル名と、映像データのフレーム単位で示された範囲と、当該映像ファイルの記憶されている映像ファイル提供装置のサイト名とが記載されており、前記要求手段は、映像ファイル名と映像データの範囲とで映像データを特定してサイト名宛に映像データを要求することとしている。このような構成によって、映像データを確実に特定することができ、映像ファイルの一部の映像データの取得が可能となる。
【０１４５】
また、区間の映像データを連続してなる映像ファイルをフレーム単位に管理し、記憶しているローカル映像ファイル記憶手段を備え、前記再生映像構成表に記載された映像データには、前記映像ファイル提供装置に記憶された映像ファイルに属する映像データと前記ローカル映像ファイル記憶手段に記憶された映像ファイルに属する映像データとが含まれており、前記ローカル映像ファイル記憶手段に記憶された映像ファイルに属する映像データの前記再生映像情報には、サイト名に映像ファイル提供装置とは異なるサイト名が記載されており、前記再生映像構成表読出手段で読み出された再生映像情報に従い、映像データが映像ファイル提供装置に記憶されているのか、ローカル映像ファイル記憶手段に記憶されているのか判定する内外判定手段と、前記内外判定手段でローカル映像ファイル記憶手段に記憶されている映像データと判定されたときには、前記要求手段の映像データの要求を禁止し、ローカル映像ファイル記憶手段から映像データを読み出すローカル映像ファイル読出手段とを更に備え、前記映像データ再生手段は、前記ローカル映像ファイル読出手段で読み出された映像データと受信された映像データとを再生順に再生出力することとしている。このような構成によって、映像視聴装置が有している映像ファイルの映像データとＷｅｂサイトが有する映像ファイルの映像データとを組み合わせた再生映像を視聴することができる。
【０１４６】
また、本発明は、サイト名でアクセスされ、区間の映像データを連続してなる映像ファイルを記憶し、要求された映像データを読み出し、読み出された映像データをインターネットを介して送信する映像ファイル保管装置と、サイト名でアクセスされ、前記映像データの再生順に映像データを特定する再生映像情報を記載した複数の再生映像構成表を記憶し、要求された再生映像構成表を読み出し、読み出された再生映像構成表をインターネットを介して送信する再生映像構成表保管装置とからなる映像ファイル提供装置とインターネットで接続される映像視聴装置はであって、前記再生映像構成表保管装置に記憶されている複数の再生映像構成表のうち、一の再生映像構成表の要求を受け付ける再生映像構成表受付手段と、前記再生映像構成表保管装置宛にインターネットを介して一の再生映像構成表を要求する再生映像構成表要求手段と、要求先の再生映像構成表保管装置からインターネットを介して送信されてくる再生映像構成表を受信する再生映像構成表受付手段と、受信された再生映像構成表に記載された再生映像情報に従い、前記映像ファイル保管装置に映像データを再生順にインターネットを介して要求する要求手段と、要求先の映像ファイル保管装置からインターネットを介して送信されてくる映像データを受信する受信手段と、受信された映像データを再生順に再生出力する映像データ再生手段とを備えることとしている。
【０１４７】
また、サイト名でアクセスされ、区間の映像データを連続してなる映像データ列と、前記映像データの再生順に映像データを特定する再生映像情報を記載した複数の再生映像構成表とからなる混合ファイルを記憶し、再生映像構成表と要求された映像データとを混合ファイルから読み出し、読み出された再生映像構成表と映像データとをインターネットを介して送信する映像ファイル提供装置とインターネットで接続される映像視聴装置であって、映像ファイル提供装置からインターネットを介して送信されてくる再生映像構成表を受信する再生映像構成表受信手段と、受信された再生映像構成表に記載された再生映像情報に従い、前記映像ファイル提供装置に映像データを再生順にインターネットを介して要求する要求手段と、要求先の映像ファイル提供装置からのインターネットを介して送信されてくる映像データを受信する受信手段と、受信された映像データを再生順に再生出力する映像データ再生手段とを備えることとしている。このような構成によって、映像視聴装置において、視聴者は、所望の映像データの再生順の再生映像構成表を取得することができ、自ら編集することなく、種々の再生映像を視聴することができる。
【０１４８】
また、前記映像ファイル提供装置に記憶されている複数の再生映像構成表のうち、一の再生映像構成表の要求を受け付ける再生映像構成表受付手段と、前記映像ファイル提供装置宛にインターネットを介して一の再生映像構成表を要求する再生映像構成表要求手段とを更に備え、前記再生映像構成表受信手段は、要求先の映像ファイル提供装置から再生映像構成表を受信することとしている。このような構成によって、映像視聴装置において、所望の再生映像構成表を確実に取得できる。
【０１４９】
また、本発明は、サイト名でアクセスされる映像ファイル提供装置と複数の映像視聴装置とがインターネットで接続されるインターネット放送システムであって、前記映像ファイル提供装置は、区間の映像データを連続してなる映像ファイルを記憶している映像ファイル記憶手段と、各映像視聴装置から映像ファイルと、そのファイル中の所望区間の映像データを特定する要求を受け付ける受付手段と、要求内容を解釈し、特定区間のフレーム単位の映像データを前記映像ファイル記憶手段から読み出す読出手段と、読み出された映像データを要求元の映像視聴装置にインターネットを介して送信する送信手段とを備え、前記映像視聴装置は、前記映像データの再生順に映像データを特定する再生映像情報を記載した複数の再生映像構成表を記憶している再生映像構成表記憶手段と、前記再生映像構成表記憶手段に記憶されている複数の再生映像構成表のうち、一の再生映像構成表の指定を受け付ける再生映像構成表指定受付手段と、指定された再生映像構成表を読み出す再生映像構成表読出手段と、読み出された再生映像構成表に記載された再生映像情報に従い、前記映像ファイル提供装置の受付手段に映像データを再生順にインターネットを介して要求する要求手段と、要求先の映像ファイル提供装置の送信手段からインターネットを介して送信されてくる映像データを受信する受信手段と、受信された映像データを再生順に再生出力する映像データ再生手段とを備えることとしている。
【０１５０】
また、サイト名でアクセスされる映像ファイル保管装置とサイト名でアクセスされる再生映像構成表保管装置とからなる映像ファイル提供装置と、複数の映像視聴装置とがインターネットで接続されるインターネット放送システムであって、前記映像ファイル提供装置の前記映像ファイル保管装置は、区間の映像データを連続してなる映像ファイルをフレーム単位で管理し、記憶している映像ファイル記憶手段と、各映像視聴装置から映像ファイルと、そのファイル中の所望区間の映像データを特定する要求をインターネットを介して受け付ける受付手段と、要求内容を解釈し、特定区間のフレーム単位の映像データを前記映像ファイル記憶手段から読み出す読出手段と、読み出された映像データを要求元の映像視聴装置にインターネットを介して送信する送信手段とを備え、前記映像ファイル提供装置の前記再生映像構成表保管装置は、前記映像データの再生順に映像データを特定する再生映像情報を記載した複数の再生映像構成表を記憶している再生映像構成表記憶手段と、前記映像視聴装置から前記再生映像構成表記憶手段に記憶されている複数の再生映像構成表のうち、一の再生映像構成表の要求をインターネットを介して受け付ける再生映像構成表受付手段と、指定された再生映像構成表を読み出す再生映像構成表読出手段と、読み出された再生映像構成表を要求元の映像視聴装置にインターネットを介して送信する再生映像構成表送信手段とを備え、前記映像視聴装置は、前記再生映像構成表保管装置に記憶されている複数の再生映像構成表のうち、一の再生映像構成表の要求を受け付ける再生映像構成表受付手段と、前記再生映像構成表保管装置宛にインターネットを介して一の再生映像構成表を要求する再生映像構成表要求手段と、要求先の再生映像構成表保管装置からインターネットを介して送信されてくる再生映像構成表を受信する再生映像構成表受付手段と、受信された再生映像構成表に記載された再生映像情報に従い、前記映像ファイル保管装置に映像データを再生順にインターネットを介して要求する要求手段と、要求先の映像ファイル保管装置からインターネットを介して送信されてくる映像データを受信する受信手段と、受信された映像データを再生順に再生出力する映像データ再生手段とを備えることとしている。
【０１５１】
また、サイト名でアクセスされる映像ファイル提供装置と複数の映像視聴装置とがインターネットで接続されるインターネット放送システムであって、前記映像ファイル提供装置は、区間の映像データを連続してなり、フレーム単位に管理されている映像データ列と、前記映像データの再生順に映像データを特定する再生映像情報を記載した複数の再生映像構成表とからなる混合ファイルを記憶している混合ファイル記憶手段と、前記混合ファイル記憶手段に記憶されている混合ファイルを解釈して一の再生映像構成表を読み出す再生映像構成表読出手段と、各映像視聴装置から混合ファイルと、混合ファイル中の映像データ列と、映像データ列中の映像データを特定する要求をインターネットを介して受け付ける受付手段と、 映像データの要求が受け付けられると、混合ファイル記憶手段に記憶されている混合ファイルを解釈して、特定区間のフレーム単位の映像データを読み出す解釈読出手段と、読み出された再生映像構成表をインターネットを介して送信する再生映像構成表送信手段と、読み出された映像データを要求元の映像視聴装置にインターネットを介して送信する送信手段とを備え、前記映像視聴装置は、映像ファイル提供装置からインターネットを介して送信されてくる再生映像構成表を受信する再生映像構成表受信手段と、受信された再生映像構成表に記載された再生映像情報に従い、前記映像ファイル提供装置に映像データを再生順にインターネットを介して要求する要求手段と、要求先の映像ファイル提供装置からのインターネットを介して送信されてくる映像データを受信する受信手段と、受信された映像データを再生順に再生出力する映像データ再生手段とを備えることとしている。このような構成によって、映像データの再生順が変更された種々の映像ファイルをＷｅｂサイトに記憶することなく、視聴者に所望の映像データの再生順の再生映像を提供することができる。
【０１５２】
また、本発明は、サイト名でアクセスされ、区間の暗号化された映像データを連続してなる映像データ列と、前記映像データの再生順に映像データを特定し、各映像データを復号するための暗号化されたデータ鍵が記載された再生映像情報と映像の視聴料金を記載した複数の再生映像構成表とからなる混合ファイルを記憶し、要求に応じて混合ファイルをインターネットを介して送信する映像ファイル提供装置とインターネットで接続される映像視聴装置であって、前記映像ファイル提供装置に一の混合ファイルを要求する混合ファイル要求手段と、要求先の映像ファイル提供装置から混合ファイルをインターネットを介して受信する混合ファイル受信手段と、受信された混合ファイルを解釈して一の再生映像構成表を作成する再生映像構成表作成手段と、受信された混合ファイルを解釈し、前記再生映像構成表に記載された再生順に、暗号化された映像データを読み出す映像データ読出手段と、前記再生映像構成表の通知を受け、映像データの視聴料金を課金した後、暗号化されたデータ鍵を復号するための解読鍵を付与する課金手段と、前記解読鍵を付与され、暗号化されたデータ鍵を復号し、前記映像データ読出手段で読み出された暗号化された映像データを復号されたデータ鍵で復号する映像データ復号手段と、復号された映像データを再生出力する再生手段とを備えることとしている。このような構成によって、混合ファイルの制作者は、混合ファイルをダウンロードした視聴者から視聴料金を確実に徴収できる。
【０１５３】
また、本発明は、前記再生映像構成表には、前記混合ファイルの制作に用いられたオーサリンツールのメーカを識別する識別子と、前記視聴料金のうち、オーサリングツールのメーカに還付する金額または前記金額を算出し得る数式が記載されており、前記課金手段は、前記視聴料金から、前記還付金額を計算し識別子とともに記憶するキックバック額計算部を有し、キックバック額は識別子で識別されるオーサリングツールのメーカに支払われ、少なくとも混合ファイルの制作者を含む者には、残余の視聴料金が支払われることとしている。このような構成によって、オーサリングツールのメーカは、オーサリングツールの販売時点だけでなく、利用状況に応じた収益を得ることができ、混合ファイルの制作者や販売業者に残余の視聴料金を支払うことができる。
【０１５４】
また、本発明は、前記再生映像構成表には、前記混合ファイルの制作に用いられたオーサリングツールのメーカを識別する識別子と、前記視聴料金のうち、オーサリングツールのメーカに還付される還付率とが記載されており、前記課金手段は、前記視聴料金に還付率を乗算し、キックバック額を計算し、識別子とともに記憶するキックバック額計算部を有し、キックバック額は、識別子で識別されるオーサリングツールのメーカに支払われ、混合ファイルの制作者には、残余の視聴料金が支払われることとしている。このような構成によって、オーサリングツールのメーカは、オーサリングツールの販売時点だけでなく、利用状況に応じた収益を得ることができる。
【０１５５】
更に、本発明は、サイト名でアクセスされ、区間の映像データを連続してなる映像ファイルを記憶し、要求された映像データを読み出し、読み出された映像データをインターネットを介して送信する映像ファイル提供装置とインターネットで接続される映像視聴装置に適用されるコンピュータ読み取り可能な記録媒体であって、前記映像データの再生順に映像データを特定する再生映像情報を記載した複数の再生映像構成表を記憶しており、記憶されている複数の再生映像構成表のうち、一の再生映像構成表の指定を受け付ける再生映像構成表指定受付手段と、指定された再生映像構成表を読み出す再生映像構成表読出手段と、読み出された再生映像構成表に記載された再生映像情報に従い、前記映像ファイル提供装置に映像データを再生順にインターネットを介して要求する要求手段と、要求先の映像ファイル提供装置からインターネットを介して送信されてくる映像データを受信する受信手段と、受信された映像データを再生順に再生出力するとの映像データ再生手段との各手段の機能をコンピュータに発揮させるプログラムを記録しているコンピュータ読み取り可能な記録媒体こととしている。このような構成によって、この記録媒体を映像視聴装置に適用して、種々の再生順序の映像を再生出力することができる。
【図面の簡単な説明】
【図１】本発明に係るインターネット放送システムの実施の形態１の構成図である。
【図２】上記実施の形態の再生映像構成表ファイル記憶部に記憶されている再生映像構成表の一例を示す図である。
【図３】上記実施の形態の映像視聴装置の動作を説明するフローチャートである。
【図４】上記実施の形態の映像ファイル提供装置の動作を説明するフローチャートである。
【図５】本発明に係るインターネット放送システムの実施の形態２の構成図である。
【図６】上記実施の形態の再生映像構成表ファイル記憶部に記憶されている再生映像構成表の一例を示す図である。
【図７】上記実施の形態の映像視聴装置の動作を説明するフローチャートである。
【図８】本発明に係るインターネット放送システムの実施の形態３の構成図である。
【図９】上記実施の形態の映像ファイル提供装置の再生映像構成表のファイル保管部の動作を説明するフローチャートである。
【図１０】上記実施の形態の映像視聴装置の動作を説明するフローチャートである。
【図１１】本発明に係るインタ−ネット放送システムの実施の形態４の構成図である。
【図１２】上記実施の形態の映像ファイル提供装置の動作を説明するフローチャートである。
【図１３】本発明に係るインターネット放送システムの実施の形態５の構成図である。
【図１４】上記実施の形態の混合ファイル記憶部に記憶されている混合ファイルの一例を示す図である。
【図１５】上記実施の形態の混合ファイル解析部で作成される再生映像構成表の一例を示す図である。
【図１６】上記実施の形態の映像ファイル提供装置での再生映像構成表の送信動作を説明するフローチャートである。
【図１７】上記実施の形態の映像ファイル提供装置での映像データの送信動作を説明するフローチャートである。
【図１８】上記実施の形態の映像視聴装置の動作を説明するフローチャートである。
【図１９】本発明にかかるインターネット放送システムの実施の形態６の構成図である。
【図２０】上記実施の形態の混合ファイルに記憶されている再生映像構成表の一例を示す図である。
【図２１】上記実施の形態の主な動作を説明するフローチャートである。
【図２２】従来のインターネット放送システムの構成図である。
【符号の説明】
２０１、９０１、１２０１、１４０１、２００１    映像ファイル提供装置
２０２、６０１、９０２、１４０２、２００２    映像視聴装置
２０３    インターネット
２０４、６１０    映像ファイル
２０５    映像ファイル記憶部
２０６、１４０８    映像転送命令受信部
２０７、１２０８、１４０９    映像データ読出部
２０８、１２０９、１４１０    映像データ送信部
２０９、６０２    再生映像構成表ファイル
２１０、６０３    再生映像構成表ファイル記憶部
２１１    再生映像構成表ファイル指示部
２１２    再生映像構成表ファイル読出部
２１３、６０４、１４１３、２０１３    再生映像情報処理部
２１４、６０７、１４１５、２０１５    映像データ再生部
２１５、１４１７    映像転送命令作成部
２１６、１４１８    映像転送命令送信部
２１７、６０９、１４１９    映像データ受信部
６０５、１４１１    ローカル映像ファイル記憶部
６０６、１４１４    ローカル映像データ読出部
６０８、１４１６    映像データ内外判定部
６１２    蓄積映像データ
９０３    映像ファイル保管部
９０４    再生映像構成表ファイル保管部
９０５    再生映像構成表転送命令受信部
９０６、１２０５、１４０５    再生映像構成表読出部
９０７、１２０７、１４０７    再生映像構成表送信部
９０８    再生映像構成表転送命令作成部
９０９    再生映像構成表転送命令送信部
９１０、１４１２    再生映像構成表受信部
１２０２、１４０３    混合ファイル
１２０３、１４０４    混合ファイル記憶部
１２０４    転送命令受信判定部
１２０６、１４０６    混合ファイル解析部
２００３    暗号化混合ファイル
２００４    混合ファイル記憶部
２００５    混合ファイル転送命令受信部
２００６    混合ファイル読出部
２００７    混合ファイル送信部
２００８    混合ファイル指示部
２００９    混合ファイル転送命令作成部
２０１０    混合ファイル転送命令送信部
２０１１    混合ファイル受信部
２０１２    ローカル混合ファイル記憶部
２０１４    課金部
２０１６    再生映像構成表解釈部
２０１７    映像データ読出部
２０１８    映像データ復号部
２０１９    制作ツールメーカキックバック計算部
【図１】
0004602537.tif 000002
【図２】
0004602537.tif 000003
【図３】
0004602537.tif 000004
【図４】
0004602537.tif 000005
【図５】
0004602537.tif 000006
【図６】
0004602537.tif 000007
【図７】
0004602537.tif 000008
【図８】
0004602537.tif 000009
【図９】
0004602537.tif 000010
【図１０】
0004602537.tif 000011
【図１１】
0004602537.tif 000012
【図１２】
0004602537.tif 000013
【図１３】
0004602537.tif 000014
【図１４】
0004602537.tif 000015
【図１５】
0004602537.tif 000016
【図１６】
0004602537.tif 000017
【図１７】
0004602537.tif 000018
【図１８】
0004602537.tif 000019
【図１９】
0004602537.tif 000020
【図２０】
0004602537.tif 000021
【図２１】
0004602537.tif 000022
【図２２】
0004602537.tif 000023